(57)【特許請求の範囲】
【請求項１】
テーブルやキッチンカウンターといった使用面に置かれて使用され、強磁性体材料によって形成された食品加熱調理器が乗せられる鍋敷きであって、
前記食品加熱調理器の底面が乗せ置かれる容器保持面と、
前記容器保持面の下方に配置される磁石と、を備え、
前記容器保持面に乗せ置かれた前記食品加熱調理器を傾けると、この傾動に鍋敷き全体が連動しないように鍋敷きの傾動を抑制する傾動抑制手段が設けられており、
前記傾動抑制手段は、
前記容器保持面が前記食品加熱調理器の底面よりも小さい面積となるように形成され、
前記容器保持面の外側に前記底面に対して前記容器保持面よりも離隔した退避面が形成されることで鍋敷き全体の傾動を抑制することを特徴とする鍋敷き。
【請求項２】
前記退避面を囲むように設けられ、前記容器保持面に対する前記底面の配置位置を規制する配置規制突起を備えることを特徴とする請求項１に記載の鍋敷き。
【発明の詳細な説明】
【技術分野】
【０００１】
本発明は、テーブルやキッチンカウンターといった使用面に置かれて使用され、強磁性体材料によって形成された食品加熱調理器が乗せられる鍋敷きに関する。
【背景技術】
【０００２】
鍋やフライパンといった食品加熱調理器は、ガスといった熱源によって加熱されるため、そのままテーブルやキッチンカウンターといった使用面に置くと、テーブルやキッチンカウンターを傷めてしまうことがある。そこで、木製やシリコンゴム製の鍋敷きが用いられている。尚、鍋敷きは一般的な商品であって、特に記載すべき先行技術文献はない。
【発明の概要】
【発明が解決しようとする課題】
【０００３】
従来の鍋敷きを用いるには、まず食品加熱調理器を置こうとする使用面に鍋敷きを置いて、そこに食品加熱調理器を載せる必要があった。このため、例えば、キッチンカウンターで一回火から下ろし、更にテーブルに運ぶ場合は、片手で食品加熱調理器を持つか誰かに手伝ってもらうことで、次に食品加熱調理器を置きたい場所に鍋敷きを運ぶ必要があった。
【０００４】
このような手間を無くすため、本発明者らは、強磁性材料によって形成された食品加熱調理器に磁石が付くという特性に着目し、鍋敷きの内部に磁石を配置したものについての開発を検討した。確かに、鍋敷きの内部に磁石を配置すると、鉄といった強磁性材料によって形成された食品加熱調理器に鍋敷きが付くため、キッチンカウンターで一回火から下ろして鍋敷きに置くと、そのまま食卓のテーブルに運ぶまで鍋敷きが離れることがなく便利である。
【０００５】
しかしながら、キッチンカウンターで一回火から下ろした食品加熱調理器を再度コンロに載せるような場合に、更なる課題があることを見出した。一回火から下ろしたとはいえ、食品加熱調理器は高温になっていることが多く、磁石によって取り付いている鍋敷きを取り外すには高温の食品加熱調理器に触れてしまう危険性があるため、熱を伝達しにくい手袋を用いるといった不便な側面がある。
【０００６】
本発明はこのような課題に鑑みてなされたものであり、その目的は、テーブルやキッチンカウンターといった使用面に置かれて使用され、強磁性体材料によって形成された食品加熱調理器が乗せられる鍋敷きであって、使用者が着脱しようとした際に高温の食品加熱調理器の底面付近に手を触れずに済む鍋敷きを提供することにある。
【課題を解決するための手段】
【０００７】
上記課題を解決するために、本発明に係る鍋敷きは、テーブルやキッチンカウンターといった使用面に置かれて使用され、強磁性体材料によって形成された食品加熱調理器が乗せられる鍋敷きであって、前記食品加熱調理器の底面が乗せ置かれる容器保持面と、前記容器保持面の下方に配置される磁石と、を備え、前記容器保持面に乗せ置かれた前記食品加熱調理器を傾けると、この傾動に鍋敷き全体が連動しないように鍋敷きの傾動を抑制する傾動抑制手段が設けられてなる。前記傾動抑制手段は、前記容器保持面が前記食品加熱調理器の底面よりも小さい面積となるように形成され、前記容器保持面の外側に前記底面に対して前記容器保持面よりも離隔した退避面が形成されることで鍋敷き全体の傾動を抑制する。
【０００８】
本発明によれば、容器保持面に強磁性体材料によって形成された食品加熱調理器を乗せると、容器保持面下方に配置された磁石の作用によって容器保持面と食品加熱調理器の底面とが付いて容易には離れなくなり、食品加熱調理器を持ち運んだ際にも鍋敷きを別途移動させる必要がない。更に、傾動抑制手段が、容器保持面に乗せ置かれた食品加熱調理器を傾けると、この傾動に鍋敷き全体が連動しないように鍋敷きの傾動を抑制するので、食品加熱調理器の底面と容器保持面とが離隔し、磁石の磁気が実質的に及ばないようにすることができる。このため、使用者は、鍋敷きと食品加熱調理器とを分離させようとした場合には、食品加熱調理器を傾けるという簡単な操作で、食品加熱調理器から鍋敷きを取り外すことができる。容器保持面が食品加熱調理器の底面よりも小さい面積となるように形成されているので、食品加熱調理器を傾けた際に連動しようとする容器保持面及び鍋敷き全体の動きを、容器保持面よりも外側の鍋敷き各部がテーブルやキッチンカウンターといった使用面に対して接触し続けることで抑制することができる。また、容器保持面の外側に底面に対して容器保持面よりも離隔した退避面が形成されることで、容器保持面の外周を支点として食品加熱調理器を大きく傾動することができ、鍋敷きの離脱動作をより容易に行うことができる。
【００１３】
また本発明に係る鍋敷きでは、前記退避面を囲むように設けられ、前記容器保持面に対する前記底面の配置位置を規制する配置規制突起を備えることも好ましい。
【００１４】
この好ましい態様では、容器保持面に対する食品加熱調理器の底面の配置位置が所定の位置となるように規制することができるので、食品加熱調理器を傾動させる場合に確実に底面の内側に容器保持面の端部を位置させることができ、上述したような鍋敷きの離脱動作をより確実に行うことができる。
【発明の効果】
【００１５】
本発明によれば、テーブルやキッチンカウンターといった使用面に置かれて使用され、強磁性体材料によって形成された食品加熱調理器が乗せられる鍋敷きであって、使用者が着脱しようとした際に高温の食品加熱調理器の底面付近に手を触れずに済む鍋敷きを提供することができる。
【図面の簡単な説明】
【００１６】
【図１】参考例に係る鍋敷きの概要を示す斜視図である。
【図２】図１に示す鍋敷きに鍋を置いた状態を示す図である。
【図３】図２に示した状態から鍋を傾動させ、鍋敷きから鍋を取り外した状態を示す図である。
【図４】本発明の第１実施形態に係る鍋敷きの概要を示す斜視図である。
【図５】図４に示す鍋敷きに鍋を置いた状態を示す図である。
【図６】図５に示した状態から鍋を傾動させ、鍋敷きから鍋を取り外した状態を示す図である。
【図７】本発明の第２実施形態に係る鍋敷きを示す平面図である。
【図８】図７のVIII-VIII断面を示す断面図である。
【発明を実施するための形態】
【００１７】
以下、添付図面を参照しながら本発明の実施形態について説明する。説明の理解を容易にするため、各図面において同一の構成要素に対しては可能な限り同一の符号を付して、重複する説明は省略する。
【００１８】
参考例に係る鍋敷きについて、図１を参照しながら説明する。図１に示されるように鍋敷きＮＳＡは、第１本体部１０と第２本体部２０とを備えている。第１本体部１０及び第２本体部２０は、厚みが数十ミリある厚板材から一体的に切りだされて構成されている。
【００１９】
第１本体部１０には、容器保持面１０１が形成されている。容器保持面１０１は、鍋やフライパンといった食品加熱調理器の底面が乗せ置かれる面である。
【００２０】
第１本体部１０の内部であって、容器保持面１０１の下方（キッチンカウンターやテーブルといった使用面に鍋敷きＮＳＡを置いて使用する際に、食品加熱調理器側から見て下方）には、磁石１１が配置されている。本実施形態の場合、磁石１１は一対配置されている。一対の磁石１１は、略円形を成す容器保持面１０１の直径上であって、互いに離隔し容器保持面１０１の外周面に近接するように配置されている。図２に示されるように、磁石１１は、第１本体部１０に設けられた磁石配置穴１０２に埋め込まれるように配置されている。
【００２１】
鍋敷きＮＳＡに鍋ＮＢを置くと、図２に示す状態になる。使用者は、この状態のまま鍋ＮＢの持ち手をもって持ち上げると、鍋敷きＮＳＡと鍋ＮＢとを一体的に運搬することができる。
【００２２】
鍋敷きＮＳＡから鍋ＮＢを取り外そうとする使用者は、図３に示すように鍋ＮＢを傾動させる。容器保持面１０１の下方には磁石１１が配置されているので、鍋ＮＢが鉄といった強磁性体材料によって形成されていれば、容器保持面１０１も連動して傾動しようとする。しかしながら、容器保持面１０１が形成された第１本体部１０に繋がって第２本体部２０が形成されているので、鍋ＮＢを第２本体部２０側に傾動させると、第２本体部２０が使用面に接触し続けて抵抗となるため、実際には容器保持面１０１は鍋とＮＢは連動せず離隔し、鍋敷きＮＳＡと鍋ＮＢとを引き離すことができる。
【００２３】
続いて、本発明の第１実施形態に係る鍋敷きについて、図４を参照しながら説明する。図４に示されるように鍋敷きＮＳＢは、本体部３０を備えている。本体部３０には、容器保持面３０１が形成されている。容器保持面３０１は、鍋やフライパンといった食品加熱調理器の底面が乗せ置かれる面である。
【００２４】
本体部３０の内部であって、容器保持面３０１の下方（キッチンカウンターやテーブルといった使用面に鍋敷きＮＳＢを置いて使用する際に、食品加熱調理器側から見て下方）には、磁石３１が配置されている。本実施形態の場合、磁石３１は一対配置されている。一対の磁石３１は、略円形を成す本体部３０の直径上であって、互いに離隔し容器保持面３０１の外周面に近接するように配置されている。図５に示されるように、磁石３１は、本体部３０に設けられた磁石配置穴３０２に埋め込まれるように配置されている。
【００２５】
本実施形態の場合、本体部３０は略円盤状を成している。容器保持面３０１は、略円盤状を成している本体部３０の外周面に対して、退避面３０３を挟むように形成されている。容器保持面３０１は略円形をなしており、退避面３０３は容器保持面３０１を囲むように形成されている。
【００２６】
容器保持面３０１は、食品加熱調理器である鍋ＮＢの底面よりも小さい面積となるように形成されている。容器保持面３０１の外周は、食品加熱調理器である鍋ＮＢの底面の外周の内側に位置するように形成されている。
【００２７】
退避面３０３は、容器保持面３０１が形成されている面よりも一段掘り下げられた位置に形成されている。容器保持面３０１に鍋ＮＢの底面を乗せ置いた状態を想定すると、その底面に対して容器保持面３０１よりも離隔するように退避面３０３が形成されている。
【００２８】
退避面３０３を囲むように、配置規制突起３０４が設けられている。配置規制突起３０４は、本体部３０の外周面に沿って設けられている。配置規制突起３０４は、容器保持面３０１よりも突出するように形成されている。このよう配置規制突起３０４が設けられていることで、容器保持面３０１に対する底面の配置位置を規制することができる。より具体的には、鍋ＮＢの底面の中心と容器保持面３０１の中心とが略同じ位置になるように、配置規制突起３０４が設けられている。
【００２９】
鍋敷きＮＳＢに鍋ＮＢを置くと、図５に示す状態になる。使用者は、この状態のまま鍋ＮＢの持ち手をもって持ち上げると、鍋敷きＮＳＢと鍋ＮＢとを一体的に運搬することができる。
【００３０】
鍋敷きＮＳＢから鍋ＮＢを取り外そうとする使用者は、図６に示すように鍋ＮＢを傾動させる。容器保持面３０１の下方には磁石３１が配置されているので、鍋ＮＢが鉄といった強磁性体材料によって形成されていれば、容器保持面３０１も連動して傾動しようとする。しかしながら、鍋ＮＢを傾動させると、容器保持面３０１の外周を支点として傾動することになり、鍋敷きＮＳＢは、容器保持面３０１の外周を鍋ＮＢによって押さえられ使用面に接触し続けることになる。このように、鍋ＮＢを退避面３０３側に傾動させると、容器保持面３０１の外周を鍋ＮＢによって押さえられ抵抗となるため、実際には容器保持面３０１は鍋ＮＢとは連動せず離隔し、鍋敷きＮＳＢと鍋ＮＢとを引き離すことができる。
【００３１】
上述した実施形態では、容器保持面３０１は磁石３１が配置されている領域を完全に覆うような円形平面として形成されている。しかしながら、本発明において容器保持面と磁石との関係はこれに限られるものではない。図７及び図８に、このような観点からの第２実施形態を示す。
【００３２】
図７及び図８に示されるように鍋敷きＮＳＣは、本体部４０を備えている。本体部４０には、容器保持突起４２，４３，４４が設けられている。容器保持突起４２，４３，４４は、本体部４０に埋め込まれた棒状部材によって形成されている。容器保持突起４２の長手方向寸法が最も長く、本体部４０の中央において本体部４０の外周に対する直径方向に沿うように配置されている。
【００３３】
容器保持突起４３の長手方向寸法は容器保持突起４２よりも短い。容器保持突起４３は、容器保持突起４２の長手方向に沿うように、容器保持突起４２を挟んで一対設けられている。
【００３４】
容器保持突起４４の長手方向寸法は容器保持突起４３よりも短い。容器保持突起４４は、容器保持突起４２，４３の長手方向に沿うように、容器保持突起４３を挟んで一対設けられている。
【００３５】
このように容器保持突起４３が配置されているので、鍋敷きＮＳＣの容器保持面４０Ｍは、容器保持突起４２〜４４の平面視における外接円を含むものとなっている。これは、鍋敷きＮＳＣに乗せ置かれる鍋やフライパンといった食品加熱調理器の底が剛体とみなされるものであって、一定の平面形状を有することによる。
【００３６】
本体部４０の内部であって、容器保持面４０Ｍ（容器保持突起４２〜４４の平面視における外接円を含む面）の下方（キッチンカウンターやテーブルといった使用面に鍋敷きＮＳＢを置いて使用する際に、食品加熱調理器側から見て下方）には、磁石４１が配置されている。本実施形態の場合、磁石４１は一対配置されている。一対の磁石４１は、略円形を成す本体部４０の直径上であって、互いに離隔し容器保持面４０Ｍの外周面に近接するように配置されている。
【００３７】
本実施形態の場合、本体部４０は略円盤状を成している。容器保持面４０Ｍは、略円盤状を成している本体部４０の外周面に対して、退避面４０１を挟むように形成されている。容器保持面４０Ｍは略円形をなしており、退避面４０１は容器保持面４０Ｍを囲むように形成されている。
【００３８】
容器保持面４０Ｍは、食品加熱調理器である鍋ＮＢの底面よりも小さい面積となるように形成されている。容器保持面４０Ｍの外周は、食品加熱調理器である鍋の底面の外周の内側に位置するように形成されている。
【００３９】
退避面４０１は、容器保持面４０Ｍが形成されている面よりも一段掘り下げられた位置に形成されている。容器保持面４０Ｍに鍋の底面を乗せ置いた状態を想定すると、その底面に対して容器保持面４０Ｍよりも離隔するように退避面４０１が形成されている。
【００４０】
退避面４０１を囲むように、配置規制突起４０４が設けられている。配置規制突起４０４は、本体部４０の外周面に沿って設けられている。配置規制突起４０４は、容器保持面４０Ｍよりも突出するように形成されている。このよう配置規制突起４０４が設けられていることで、容器保持面４０Ｍに対する底面の配置位置を規制することができる。
【００４１】
このような容器保持面４０Ｍを形成することができれば、容器保持面４０Ｍ全体を渡って突起物を配置する必要はない。従って、容器保持突起４２〜４４のそれぞれが断続的な棒状となっていても構わない。また、容器保持面４０Ｍの外周に沿った円形状の突起を設けるようにしても良い。いずれにしても、鍋を保持することができ、使用者が意図的に傾けた場合に、鍋底の周辺が退避できる領域が形成され、図６等に示した状態が形成されれば本発明の要旨の範囲内に含まれるものである。
【符号の説明】
【００４２】
１０：第１本体部
２０：第２本体部
３０：本体部
１０１：容器保持面
１１：磁石
３０１：容器保持面
３１：磁石
３０３：退避面
３０４：配置規制突起
ＮＢ：鍋（食品加熱調理器）
【要約】
【課題】テーブルやキッチンカウンターといった使用面に置かれて使用され、強磁性体材料によって形成された食品加熱調理器が乗せられる鍋敷きであって、使用者が着脱しようとした際に高温の食品加熱調理器の底面付近に手を触れずに済む鍋敷きを提供する。
【解決手段】鍋敷きＮＳＡは、食品加熱調理器ＮＢの底面が乗せ置かれる容器保持面１０１と、容器保持面１０１の下方に配置される磁石１１と、を備え、容器保持面１０１に乗せ置かれた食品加熱調理器ＮＢを傾けると、この傾動に鍋敷き全体が連動しないように鍋敷きＮＳＡの傾動を抑制する傾動抑制手段としての第２本体部２０が設けられてなる。
【選択図】図３【図１】
0005859627.tif 000002
【図２】
0005859627.tif 000003
【図３】
0005859627.tif 000004
【図４】
0005859627.tif 000005
【図５】
0005859627.tif 000006
【図６】
0005859627.tif 000007
【図７】
0005859627.tif 000008
【図８】
0005859627.tif 000009